(57)【要約】      （修正有）【課題】自分に合ったスイング軌道を身に着けることができるスイング矯正具を提供する。【解決手段】ゴルフクラブのグリップの先端のカーボン又はスチールシャフトの部分にカーボン又はスチールシャフトを痛めない様に粘着テープ１を一周して貼り、粘着テープの上を２つ穴あきのクラブ握りリング２を一周させ、クラブ握りリング止めボルト３で２つ穴の下の部分でクラブシャフトに固定する。次に、リストバンド通し５に連結フック６を取り付け、リストバンド４で手首に固定する。調節ベルト７の先端に、特殊金属フック８をセットし、クラブ握りリングの上の穴に通ししてから、調節ベルトのもう一方の先端を連結フックにくぐらせ折り返し、手首とクラブの角度（コックと言う）を自分好みに調節してから、マジックテープ（登録商標）で固定する。【選択図】図９
2019037734.tif 000002
【特許請求の範囲】
【請求項１】
ゴルフクラブのグリップの先端のシャフトの部分にシャフトを痛めないように粘着テープ（図１）を巻、その上にクラブ握りリング（図２）を巻き付けクラブ握りリング止めボルト（図３）でクラブ握りリング（図２）の下部の穴で固定する。
リストバンド通し（図５）に連結フック（図６）を取り付け、リストバンド（図４）をリストバンド通し（図５）にくぐらせてから、リストバンド（図４）を右手首に固定する。
調節ベルト（図７）の先端に特殊金属フック（図８）をセットし、クラブ握りリング（図２）の上部の穴に通してから、調節ベルト（図７）のもう一方の先端を連結フック（図６）にくぐらせ折り返し、手首とクラブの角度（コックと言う）を自分好みに調節してから、マジックテープで固定する。
【請求項２】
クラブ握りリング（図２）を一周させクラブ握りリング止めボルト（図３）で固定する。リストバンド通し（図５）に連結フック（図６）を取り付けリストバンド（図４）をリストバンド通し（図５）にくぐらせてから、リストバンド（図４）を右手首に固定する。調節ベルト（図７）先端に特殊金属フック（図８）をセットし、クラブ握りリング（図２）の上部の穴に通してから、調節ベルト（図７）のもう一方の先端を連結フック（図６）にくぐらせ折り返し、手首とクラブの角度（コックと言う）を自分好みに調節してから、マジックテープで固定する。
【請求項３】
クラブ握りリングをボルト（図３）で固定したら、リストバンド通し（図５）に連結フック（図６）を取り付けリストバンド（図４）をリストバンド通し（図５）にくぐらせてから、リストバンド（図４）を右手首に固定する。
調節ベルト（図７）の先端に特殊金属フック（図８）をセットし、クラブ握りリング（図２）の上部の穴に通してから、調節ベルト（図７）のもう一方の先端を連結フック（図６）にくぐらせ折り返し、手首とクラブの角度（コックと言う）を自分好みに調節してから、マジックテープで固定する。
【請求項４】
リストバンド通し（図５）に連結フック（図６）を取り付けリストバン（図４）をリストバンド通し（図５）にくぐらせてから、リストバンド（図４）を右手首に固定する。調節ベルト（図７）の先端に特殊金属フック（図８）をセットし、クラブ握りリング（図２）の上部の穴に通してから、調節ベルト（図７）のもう一方の先端を連結フック（図６）にくぐらせ折り返し、手首とクラブの角度（コックと言う）を自分好みに調節してから、マジックテープで固定する。
【請求項５】
連結フック（図６）を取り付けリ、ストバン（図４）をリストバンド通し（図５）にくぐらせてから、リストバンド（図４）を右手首に固定する。調節ベルト（図７）の先端に特殊金属フック（図８）をセットし、クラブ握りリング（図２）の上部の穴に通してから、調節ベルト（図７）のもう一方の先端を連結フック（図６）にくぐらせ折り返し、手首とクラブの角度（コックと言う）を自分好みに調節してから、マジックテープで固定する。
【請求項６】
リストバン（図４）をリストバンド通し（図５）にくぐらせてから、リストバンド（図４）を右手首に固定する。調節ベルト（図７）の先端に特殊金属フック（図８）をセットし、クラブ握りリング（図２）の上部の穴に通してから、調節ベルト（図７）のもう一方の先端を連結フック（図６）にくぐらせ折り返し、手首とクラブの角度（コックと言う）を自分好みに調節してから、マジックテープで固定する。
【請求項７】
リストバンド（図４）を右手首に固定したら、調節ベルト（図７）の先端に特殊金属フック（図８）をセットし、クラブ握りリング（図２）の上部の穴に通してから、調節ベルト（図７）のもう一方の先端を連結フック（図６）にくぐらせ折り返し、手首とクラブの角度（コックと言う）を自分好みに調節してから、マジックテープで固定する。
【請求項８】
調節ベルト（図７）の先端に特殊金属フック（図８）をセットし、クラブ握りリング（図２）の上部の穴に通してから、調節ベルト（図７）のもう一方の先端を連結フック（図６）にくぐらせ折り返し、手首とクラブの角度（コックと言う）を自分好みに調節してから、マジックテープで固定する。
【請求項９】
特殊金属フック（図８）をセットし、クラブ握りリング（図２）の上部の穴に通してから、調節ベルト（図７）のもう一方の先端を連結フック（図６）にくぐらせ折り返し、手首とクラブの角度（コックと言う）を自分好みに調節してから、マジックテープで固定する。
【請求項１０】
クラブ握りリング（図２）の上部の穴に通したら、調節ベルト（図７）のもう一方の先端を連結フック（図６）にくぐらせ折り返し、手首とクラブの角度（コックと言う）を自分好みに調節してから、マジックテープで固定する。
【請求項１１】
調節ベルト（図７）のもう一方の先端を連結フック（図６）にくぐらせ折り返し、手首とクラブの角度（コックと言う）を自分好みに調節してから、マジックテープで固定する。
【請求項１２】
連結フック（図６）にくぐらせ折り返し、手首とクラブの角度（コックと言う）を自分好みに調節してから、マジックテープで固定する。
この様な段取りを経て練習に励み、自分に合ったスイング軌道を身に着け、ジャストコック練習器具を使用しなくても思い道理のボールがヒットできた時、ゴルフの楽しさが倍加するものと確信をし発明した。
【発明の詳細な説明】
【技術分野】
【０００１】  この発明は、ゴルフコースでよい結果が得られればと思い開発したものである。
【背景技術】
【０００２】  従来は、この様な道具は存在しなかった。
【先行技術文献】
【０００３】
【特許文献１】
【発明の概要】
【発明が解決しようとする課題】
【０００４】  従来は、練習場で充分に練習して、半ば納得して本コースに臨んだものであったが、不本意な結果となり課題山積で帰路に就いたことが多々あった。
本発明は、以上の様な欠点を矯正したく、開発したものである。
【発明を解決するための手段】
【０００５】  ゴルフクラブのグリップの先端のカーボン又はスチールシャフトの部分にカーボン又はスチールシャフトを痛めない様に粘着テープを一周（図１）して貼り、粘着テープの上を２つ穴あきのクラブ握りリング（図２）を一周させ、クラブ握りリング止めボルト（図３）で２つ穴の下の部分でクラブシャフトに固定する。
次に、リストバンド通し（図５）に連結フック（図６）を取り付け、リストバンド（図４）で手首に固定する。
調節ベルト（図７）の先端に、特殊金属フック（図８）をセットし、クラブ握りリング（図２）の上の穴に通ししてから、調節ベルト（図８）のもう一方の先端を連結フック（図７）にくぐらせ折り返し、手首とクラブの角度（コックト言う）を自分好みに調節してから、マジックテープで固定する。
【図１】
2019037734.tif 000003
【図２】
2019037734.tif 000004
【図３】
2019037734.tif 000005
【図４】
2019037734.tif 000006
【図４−１】
2019037734.tif 000007
【図４−２】
2019037734.tif 000008
【図５】
2019037734.tif 000009
【図５−１】
2019037734.tif 000010
【図６】
2019037734.tif 000011
【図７】
2019037734.tif 000012
【図７−１】
2019037734.tif 000013
【図８】
2019037734.tif 000014
2019037734.tif 000015
2019037734.tif 000016
【手続補正書】
【提出日】平成30年1月10日(2018.1.10)
【手続補正２】
【補正対象書類名】明細書
【補正対象項目名】全文
【補正方法】変更
【補正の内容】
【発明の詳細な説明】
【技術分野】
【０００１】
【図面の簡単な説明】
【０００１】  この発明は、ゴルフコースでよい結果が得られればと思い開発したものである。
【背景技術】
【０００２】  従来は、この様な道具は存在しなかった。
【先行技術文献】
【０００３】
【特許文献１】
【発明の概要】
【発明が解決しようとする課題】
【０００４】  従来は、練習場で充分に練習して、半ば納得して本コースに臨んだものであったが、練習場で得られた効果が発揮できず、不本意な結果となり課題山積で帰路に就いたことが多々あった。
本発明は、以上の様な欠点を矯正したく、開発したものである。
【発明を解決するための手段】
【０００５】  ゴルフクラブのグリップの先端のカーボン又はスチールシャフトの部分にカーボン又はスチールシャフトを痛めない様に粘着テープを一周（図１）させて貼り、粘着テープを覆うように、２つ穴あきのクラブ握りリング（図２）を一周させ、クラブ握りリング止めボルト（図３）で２つ穴の下の部分でクラブシャフトに固定する。
次に、リストバンド通し（図５）に連結フック（図６）を取り付け、リストバンド（図４）で手首に固定する。
特殊金属フック（７）を、クラブ握りリング（２）の上の穴にセットをし、マジックテ  ープ付き調節ベルト（８）の一端を特殊金属フックに潜らせ、折り返して固定する。
マジックテープ付き調節ベルト（図８）のもう一方の先端を、連結フック（６）に潜ら  せ、折り返して自分好みにマジックテープで調節して、完成である。
【図面の簡単な説明】
【０００６】
【図１】  クラブに傷がつかない様に、粘着テープを巻く。
【図２】  その上から、上下に二つ穴あきのクラブ握りリングで覆う。
【図３】  クラブ握りリングを固定するためのボルト。
【図４】  両端裏表にマジックを付けたリストバンド。
【図５】  リストバンドを通し金具。マジックテープ付き調節ベルトとの連結の役目をする。
【図６】  連結フック。リストバンドとマジックテープ付き調節ベルトとの連結の役目をする。
【図７】  特殊金属フック。クラブ握りリングとマジックテープ付き調節ベルトの連結の役目をする。
【図８】  マジック付き調節ベルトの一端を、特殊金属フックの長方形部分にひっ掛け、折り返して固定し、もう一方の先端を折り返してマジックテープで自分好みに調節して固定し、完成である。
【図９】  マジックテープの折り返し部分。
【手続補正３】
【補正対象書類名】図面
【補正対象項目名】全図
【補正方法】変更
【補正の内容】
【図１】
2019037734.tif 000017
【図２】
2019037734.tif 000018
【図３】
2019037734.tif 000019
【図４】
2019037734.tif 000020
【図４−ｌ】
2019037734.tif 000021
【図４−２】
2019037734.tif 000022
【図５】
2019037734.tif 000023
【図５−１】
2019037734.tif 000024
【図６】
2019037734.tif 000025
【図７】
2019037734.tif 000026
【図８】
2019037734.tif 000027
【図９】
2019037734.tif 000028